(57)【特許請求の範囲】
【請求項１】
手術用プローブに電力を供給するための第１の電極部と、
前記手術用プローブに前記第１の電極部とともに電力を供給する第２の電極部と、
前記第１の電極部と前記第２の電極部の間に電力供給する電源部とを備え、前記電源部に入力信号に基づいて出力を調整可能とする電源調整部が設けられた電気手術器、を点検する電気手術器点検装置であって、
前記電気手術器に設けられた点検モードスイッチが操作されて出力される指示を受けて、前記電気手術器の高周波漏洩電流と高周波出力電流の少なくともいずれか一方を、予め定めた手順に基づいて自動測定する自動測定手段を備えることを特徴とする電気手術器点検装置。
【請求項２】
請求項１に記載の電気手術器点検装置であって、
前記電気手術器とケーブルにより接続された場合に、
前記ケーブルに対して微弱な出力を発生させて前記ケーブルの接続又は断線を検出することを特徴とする電気手術器点検装置。
【請求項３】
請求項１又は請求項２に記載の電気手術器点検装置であって、
演算部と、
記憶部と、
電流測定手段と、
負荷抵抗と、を備え、
前記演算部は、
前記第１の電極部又は前記第２の電極部とアースの間に前記負荷抵抗と前記電流測定手段とを直列に接続して形成される高周波漏洩電流測定回路に通電した場合に、前記電流測定手段により測定される電流に基づいて高周波漏洩電流値を算出し、前記記憶部に、前記高周波漏洩電流値を記憶することを特徴とする電気手術器点検装置。
【請求項４】
請求項１から請求項３のいずれか１項に記載の電気手術器点検装置であって、
演算部と、
記憶部と、
電流測定手段と、
負荷抵抗と、を備え、
前記演算部は、
前記第１の電極部と前記第２の電極部の間に前記負荷抵抗と前記電流測定手段とを直列に接続して形成される高周波出力電流測定回路に通電した場合に、前記電流測定手段により測定される電流に基づいて高周波出力電流値を算出し、前記記憶部に、前記高周波出力電流値を記憶することを特徴とする電気手術器点検装置。
【請求項５】
請求項１から請求項４のいずれか１項に記載の電気手術器点検装置であって、
前記高周波漏洩電流値と前記高周波出力電流の少なくともいずれか一方が許容範囲外である場合に、異常であることを出力する異常出力手段を備えることを特徴とする電気手術器点検装置。
【請求項６】
請求項１から請求項５のいずれか１項に記載の電気手術器点検装置であって、
前記電気手術器が、電気メス装置であることを特徴とする電気手術器点検装置。
【請求項７】
請求項１から請求項６に記載の電気手術器点検装置であって、
前記演算部は、
前記測定された高周波出力電流値と前記電気手術器に入力された高周波出力電流の設定値に基づいて校正値を算出可能に構成されることを特徴とする電気手術器点検装置。
【請求項８】
請求項７に記載の電気手術器点検装置と、電気手術器とを備えた電気手術器点検システムであって、
前記電気手術器は、
前記電気手術器点検装置が算出した校正値を入力する入力部と、前記入力された校正値に基づいて前記電源部の出力を補正する出力補正手段と、を有することを特徴とする電気手術器点検システム。
【発明の詳細な説明】
【技術分野】
【０００１】
この発明は、手術用プローブに電力を供給する電気手術器を点検するための電気手術器点検装置、電気手術器点検システム、及び電気メス点検装置、電気メス点検システムに関する。
【背景技術】
【０００２】
周知のように、外科手術をはじめとする医療現場において、電気メス装置をはじめとする電気手術器が広く使用されている（例えば、特許文献１参照）。
かかる電気手術器を医療現場で使用する場合、電気手術器の安全を確保するために、点検、保守が義務化されている場合がある。
【０００３】
例えば、電気メス装置の場合には、高周波漏洩電流（ＨＦ−ＬＡ）及び高周波出力電流（ＨＦ−Ａ）を測定、点検し、必要に応じて保守することにより安全な運用をすることとされているが、電気メス装置で用いられる出力設定モード（例えば、切開、凝固等の処理の種類と、各処理における出力レベル）に応じた数の点検対象項目を点検することが必要である。
【先行技術文献】
【特許文献】
【０００４】
【特許文献１】特開２００５−２７０５３５号公報
【発明の概要】
【発明が解決しようとする課題】
【０００５】
しかしながら、点検、保守をするべき電気手術器の範囲拡大につれて、点検対象台数が増加し、一方で、患者の高齢化等によって、近年、医療従事者の業務量が増加して医療従事者が不足するなか、電気手術器の点検、保守に対する技術的な問題に加え、点検、保守に要する手間や費用の増大によって、医療機関自らによる電気手術器の点検、保守が困難な状況になりつつある。また、電気手術器の製造においても、効率的な検査、点検を行いたいという技術的な要請がある。
【０００６】
本発明は、このような事情を考慮してなされたものであり、電気メス装置をはじめとする電気手術器の高周波漏洩電流、高周波出力電流について、適切かつ効率的に点検することが可能な電気手術器点検装置、電気手術器点検システム、及び電気メス点検装置、電気メス点検システムを提供することを目的とする。
【課題を解決するための手段】
【０００７】
上記課題を解決するために、この発明は以下の手段を提案している。
請求項１に記載の発明は、手術用プローブに電力を供給するための第１の電極部と、前記手術用プローブに前記第１の電極部とともに電力を供給する第２の電極部と、前記第１の電極部と前記第２の電極部の間に電力供給する電源部とを備え、前記電源部に入力信号に基づいて出力を調整可能とする電源調整部が設けられた電気手術器を点検する電気手術器点検装置であって、前記電気手術器に設けられた点検モードスイッチが操作されて出力される指示を受けて、前記電気手術器の高周波漏洩電流と高周波出力電流の少なくともいずれか一方を、予め定めた手順に基づいて自動測定する自動測定手段を備えることを特徴とする。
【０００８】
請求項６に記載の発明は、請求項１から請求項５のいずれか１項に記載の電気手術器点検装置であって、前記電気手術器が、電気メス装置であることを特徴とする。
【０００９】
この発明に係る電気手術器点検装置、電気メス点検装置によれば、電気手術器、電気メス装置の高周波漏洩電流と高周波出力電流の少なくともいずれか一方を、予め定めた点検手順に基づいて自動測定することが可能とされる。
その結果、電気手術器、電気メス装置を、適切かつ効率的に点検することができ、ひいては点検者の疲労等の抑制、及び点検コストを削減することができる。
【００１０】
請求項２に記載の発明は、請求項１に記載の電気手術器点検装置であって、前記電気手術器とケーブルにより接続された場合に、前記ケーブルに対して微弱な出力を発生させて前記ケーブルの接続又は断線を検出することを特徴とする。
請求項３に記載の発明は、請求項１又は請求項２に記載の電気手術器点検装置であって、演算部と、記憶部と、電流測定手段と、負荷抵抗とを備え、前記演算部は、前記第１の電極部又は前記第２の電極部とアースの間に前記負荷抵抗と前記電流測定手段とを直列に接続して形成される高周波漏洩電流測定回路に通電した場合に、前記電流測定手段により測定される電流に基づいて高周波漏洩電流値を算出し、前記記憶部に、前記高周波漏洩電流値を記憶することを特徴とする。
【００１１】
この発明に係る電気手術器点検装置によれば、高周波漏洩電流測定回路に通電した際に流れる高周波漏洩電流値を、電流測定手段により測定し、測定した高周波漏洩電流値を記憶部に記憶するので、電気手術器の高周波漏洩電流を適切かつ効率的に自動測定することができる。
【００１２】
請求項４に記載の発明は、請求項１から請求項３のいずれか１項に記載の電気手術器点検装置であって、演算部と、記憶部と、電流測定手段と、負荷抵抗とを備え、前記演算部は、前記第１の電極部と前記第２の電極部の間に前記負荷抵抗と前記電流測定手段とを直列に接続して形成される高周波出力電流測定回路に通電した場合に、前記電流測定手段により測定される電流に基づいて高周波出力電流値を算出し、前記記憶部に、前記高周波出力電流値を記憶することを特徴とする。
【００１３】
この発明に係る電気手術器点検装置によれば、高周波出力電流測定回路に通電した際に流れる高周波出力電流値を、電流測定手段により測定し、測定した高周波出力電流値を記憶部に記憶するので、電気手術器の高周波出力電流を適切かつ効率的に自動測定することができる。
【００１４】
請求項５に記載の発明は、請求項１から請求項４のいずれか１項に記載の電気手術器点検装置であって、前記高周波漏洩電流値と前記高周波出力電流の少なくともいずれか一方が許容範囲外である場合に、異常であることを出力する異常出力手段を備えることを特徴とする。
【００１５】
この発明に係る電気手術器点検装置によれば、電気手術器の高周波漏洩電流値、高周波出力電流の少なくともいずれかが許容範囲外に至った場合に、異常信号が出力される。
その結果、電気手術器を、効率的かつ確実に点検、保守することができる。また、異常のある電気手術器を、誤って手術に用いることを抑制することができる。
【００１６】
請求項７に記載の発明は、請求項１から請求項６に記載の電気手術器点検装置であって、
前記演算部は、前記測定された高周波出力電流値と前記電気手術器に入力された高周波出力電流の設定値に基づいて校正値を算出可能に構成されることを特徴とする。
【００１７】
この発明に係る電気手術器点検装置によれば、高周波出力電流の測定値と、高周波出力電流の設定値に基づいて校正値を算出するので、電気手術器の校正を効率的に行なうことができる。
【００１８】
請求項８に記載の発明は、請求項７に記載の電気手術器点検装置と、電気手術器とを備えた電気手術器点検システムであって、前記電気手術器は、前記電気手術器点検装置が算出した校正値を入力する入力部と、前記入力された校正値に基づいて前記電源部の出力を補正する出力補正手段と、を有することを特徴とする電気手術器点検システム。
【００１９】
この発明に係る電気手術器点検システムによれば、電気手術器が、電気手術器点検装置から入力された校正値に基づいて前記電源部の出力を補正する出力補正手段を備えているので、電気手術器の電源部の出力を適切かつ効率的に校正することができる。
【発明の効果】
【００２０】
この発明に係る電気手術器点検装置によれば、電気手術器の高周波漏洩電流と、高周波出力電流の少なくともいずれかの自動測定が可能とされ、電気手術器を適切かつ効率的に点検することができる。
また、この発明に係る電気手術器点検システムによれば、電気手術器点検装置から入力された校正値に基づいて、電源部の出力を補正可能に構成されているので、電気手術器を正確かつ効率的に校正することができる。
その結果、点検者の疲労等の抑制、及び保守コストを削減することができる。
【図面の簡単な説明】
【００２１】
【図１】本発明の一実施形態に係る電気メス点検システムの概略構成を示す図である。
【図２】一実施形態に係る電気メス装置の概略構成を示すブロック図である。
【図３】一実施形態に係る電気メス点検装置の概略構成を示すブロック図である。
【図４】一実施形態に係る電気メス点検装置で、電気メス装置のモノポーラ電気メス用回路を点検する場合の高周波漏洩電流点検回路の概略構成の一例を示す図である。
【図５】一実施形態に係る電気メス点検装置で、電気メス装置の高周波漏洩電流を点検する場合の、点検手順の概略を示すフロー図である。
【図６】一実施形態に係る電気メス点検装置で、電気メス装置のバイポーラ電気メス用回路を点検する場合の高周波漏洩電流点検回路の概略構成の一例を示す図である。
【図７】一実施形態に係る電気メス点検装置で、電気メス装置の高周波出力電流を点検する場合の高周波出力電流点検回路の概略構成の一例を示す図であり、（Ａ）は電気メス装置の設定モードがモノポーラ電気メスに設定されている場合、（Ｂ）は電気メス装置の設定モードがバイポーラ電気メスに設定されている場合を示す図である。
【図８】一実施形態に係る電気メス点検装置で、電気メス装置の高周波出力電流を点検する場合の、点検手順の概略を示すフロー図である。
【図９】一実施形態に係る電気メス点検装置により、電気メス装置の校正値を算出する場合の手順の概略を示すフロー図である。
【図１０】一実施形態に係る電気メス装置の校正値を説明する図である。
【発明を実施するための形態】
【００２２】
以下、図面を参照して、本発明に係る電気メス点検システムの一実施形態について説明する。
図１は、一実施形態に係る電気メス点検システム１の概略構成を示す図であり、電気メス点検システム１は、電気メス装置（電気手術器）１０と、電気メス点検装置（電気手術器点検装置）３０とを備えている。
【００２３】
また、電気メス装置１０と、電気メス点検装置３０とは、図１に示すように、対応する端子同士を、例えば、ケーブル３、ケーブル４、ケーブル５（ケーブル５Ａ、ケーブル５Ｂ）、ケーブル６（ケーブル６Ａ、ケーブル６Ｂ）のいずれか一つ又は複数のケーブルにより接続して点検回路を形成することで、予め定めた点検手順に基づいて、電気メス装置１０の高周波出力電流と高周波漏洩電流を自動点検することができるように構成されている。
また、低周波漏洩電流、耐電圧（メガー）等、電気メス装置１０に係る他の電気点検項目を点検可能に構成してもよい。
【００２４】
また、例えば、点検対象項目のうち、切開モードを構成する詳細設定モード（例えば、純粋切開モード、混合１モード、混合２モード、混合３モード）、凝固モードを構成する詳細設定モード（ノーマル１モード、ノーマル２モード、スプレーモード、ソフトモード）や、バイポーラモードを構成する詳細設定モード（マイクロモード、ゼネラルモード、シザースモード、クランプモード）等の中から自動運転の対象モードをユーザーが任意に設定し、設定した詳細設定モードについて自動点検するように構成してもよい。
【００２５】
ケーブル３は、電気メス装置１０と電気メス点検装置３０のシリアル通信部（例えば、ＲＳ−２３２Ｃ端子）１４とシリアル通信部３２とを接続して、種々の信号を双方向に通信するようになっている。
ケーブル４は、電気メス装置１０と電気メス点検装置３０の負極（アース端子）同士を接続するようになっている。
【００２６】
ケーブル５は、ケーブル５Ａと、ケーブル５Ｂとを備え、ケーブル５Ａは、後述する電気メス装置１０で、モノポーラ電気メス（手術用プローブ）７（図１には、不図示）を接続するアクティブ電極用端子（第１の電極部）１１Ａと、このアクティブ電極用端子１１Ａと対応する電気メス点検装置３０のアクティブ電極点検用コネクタ３７Ａとを接続し、ケーブル５Ｂは、電気メス装置１０の対極板用端子（第２の電極部）１２Ａと、この対極板用端子１２Ａと対応する電気メス点検装置３０の対極板点検用コネクタ３７Ｂとを接続するようになっており、それぞれ電気メス装置１０のアクティブ電極用端子１１Ａに電力を供給する回路と、対極板用端子１２Ｂに電力を供給する回路の点検に用いられるようになっている。
【００２７】
ケーブル６は、ケーブル６Ａと、ケーブル６Ｂとを備え、ケーブル６Ａは、電気メス装置１０で、バイポーラ電気メス（手術用プローブ）８（図１には、不図示）を用いる場合の、バイポーラ電気メス８の一方の電極に対応する端子（第１の電極部）１１Ｂと、他方の電極と対応する（第２の電極部）１２Ｂを、電気メス点検装置３０の端子１１Ｂ、１２Ｂのそれぞれに対応する点検用コネクタ３７Ｃ、３７Ｄと接続し、それぞれ電気メス装置１０の端子１１Ｂ、端子１２Ｂに電力を供給する回路の点検に用いられるようになっている。
【００２８】
図２は、一実施形態に係る電気メス装置の回路構成を示すブロック図である。
電気メス装置１０は、例えば、モノポーラ電気メス７とバイポーラ電気メス８のいずれかを選択して使用することができるようになっている。
【００２９】
モノポーラ電気メス７は、図４の仮想線で示すように、電気メス本体（手術用プローブ）と、対極板とを有し、対極板を生体に装着し、電気メス本体から対極板に通電される電流により、生体組織に切開、凝固等の処理を行なうようになっている。
また、バイポーラ電気メス８は、図６の仮想線で示すように、電気メス本体（手術用プローブ）に、対をなす一方の電極と他方の電極を有していて、これら二つの電極が生体と接触することにより生体組織に切開、凝固等の処理を行なうようになっている。
【００３０】
電気メス装置１０は、モノポーラ電気メス７の電気メス本体と対応するアクティブ電極用端子１１Ａ（第１の電極部１１）と、対極板と対応する対極板用端子１２Ａ（第２の電極部１２）、及びバイポーラ電気メス８を電気メス本体の一方の電極に対応する端子１１Ｂと他方の電極に対応する端子１２Ｂと、電源部１３と、電源スイッチ２１とを備えている。
また、電気メス装置１０は、図示しない設定モードスイッチ（又は他の入力手段）により、電気メス装置１０の出力を処理の種類（切開、凝固等）及びそれらの出力レベルに合わせて調整できるようになっている。
【００３１】
電源部１３は、電源（例えば、１００Ｖ）から、電源スイッチ２１を介して電力が供給されるとともに、出力する電力を調整可能とされている。なお、図２は、モノポーラ電気メス７を用いる場合の例を示している。図２において、Ｉ１で示した白抜き矢印は、高周波出力電流を示している。
【００３２】
電源部１３は、シリアル通信部（例えば、ＲＳ−２３２Ｃ）１４と、演算部１５と、メモリ（記憶部）１６と、Ｄ／Ａコンバータ１７と、出力可変電源回路１８と、出力波形回路１９と、出力アンプ２０とからなる電源調整手段を備えている。
【００３３】
シリアル通信部１４は、電気メス点検装置３０と接続可能とされていて、例えば、設定等、電気メス点検装置３０から入力された信号を演算部１５に伝送するとともに、演算部１５からの信号を電気メス点検装置３０に出力するようになっている。
【００３４】
演算部１５は、図示しないメモリ（例えば、ＲＯＭ）のに格納されたプログラムにより作動し、Ｄ／Ａコンバータ１７及び出力波形回路１９を、設定モードに基づいて駆動するようになっている。
【００３５】
メモリ１６は、例えば、使用する電気メスの種類（モノポーラ、バイポーラ）、処理の種類（切開、凝固等）、及び各処理の出力レベル等に対応する設定モードごとの高周波出力電流を生成するための、電圧、周波数等、補正値等の情報が、データテーブルの形式で格納されており、高周波出力電流を生成する際に、演算部１５が、これら情報を参照するようになっている。
【００３６】
Ｄ／Ａコンバータ１７は、出力可変電源回路１８を作動し、出力可変電源回路１８から出力アンプ２０に送られた電流が、出力波形回路１９により高周波電流に変換され、アクティブ電極用端子１１Ａ及び対極板用端子１２Ａを経由して出力されるようになっている。
【００３７】
なお、電源部１３には、出力補正手段が設けられており、電気メス点検装置３０が算出した校正値が、シリアル通信部１４を介して入力され、入力された校正値を、演算部１５がメモリ１６に格納するとともに、高周波出力電流を出力する際に、校正値を用いて電源部１３が出力する高周波出力電流を補正（設定値に対して）するようになっている。
【００３８】
電気メス点検装置３０は、図３に示すように、電流計測器（電流測定手段）３６と、負荷抵抗切換器（負荷抵抗）３５と、制御部３１と、ディスプレー４１とを備え、制御部３１は、外部と信号を入出力するシリアル通信部３２と、演算部３３と、メモリ３４と、Ａ／Ｄコンバータ４０と、入力切換回路３７と、ＲＭＳ−ＤＣコンバータ３８と、ピークホールド回路３９とを有している。
【００３９】
また、電気メス点検装置３０は、図示しない点検モードスイッチ（又は他の入力手段）により、電気メス点検装置３０の点検対象（モノポーラ電気メス、バイポーラ電気メス）、各測定対象（高周波漏洩電流（測定対象部位；アクティブ電極端子１１Ａ、対極板端子１２Ａ、一方の電極用端子１１Ｂ、他方の電極用端子１２Ｂ）、高周波出力電流）等を調整できるようになっている。
【００４０】
また、電気メス点検装置３０は、モノポーラ電気メス７、バイポーラ電気メス８を所定の端子１１Ａ、１１Ｂ、１２Ａ、１２Ｂに接続した場合に、電気メス点検装置３０、又はモノポーラ電気メス７、バイポーラ電気メス８からの入力により、あるいは自動により点検対象（モノポーラ電気メス、バイポーラ電気メス）が検出されるようにし、モノポーラ電気メス７、バイポーラ電気メス８に設けられた図示しない点検モードスイッチ等の操作による指示を受けて、各測定対象（高周波漏洩電流（測定対象部位；アクティブ電極端子１１Ａ、対極板端子１２Ａ、一方の電極用端子１１Ｂ、他方の電極用端子１２Ｂ）、高周波出力電流）等を調整できるように構成してもよい。
【００４１】
また、電気メス点検装置３０は、ケーブル５又はケーブル６により電気メス装置１０と接続された場合に、ケーブル５、ケーブル６を構成するそれぞれのケーブル５Ａ、５Ｂ、６Ａ、６Ｂに対して微弱な出力（例えば、１Ｗ以下）を発生させて、それぞれのケーブル５Ａ、５Ｂ、６Ａ、６Ｂに生じる接続不良、断線等の検出や、対極板監視モニター（スプリットモニター）のテストを行なう機能を備えていてもよい。
【００４２】
演算部３３は、メモリ３４、シリアル通信部３２と双方向の通信可能に接続されている。また、図２において、Ｉ２で示した白抜き矢印は、電気メス装置１０から出力されて、高周波漏洩電流点検回路、又は高周波出力電流点検回路を通過する電流を示している。
【００４３】
シリアル通信部３２は、電気メス装置１０と接続可能とされていて、電気メス装置１０に対して信号を出力するとともに、電気メス装置１０から入力された信号を演算部３３に伝送するようになっている。
【００４４】
演算部３３は、図示しないメモリ（例えば、ＲＯＭ）のに格納されたプログラムにより作動し、負荷抵抗切換器３５、入力切換回路３７を、設定された点検モードに基づいて駆動するとともに、予め定められた手順にしたがって電気メス装置１０を自動点検するようになっている。
また、演算部３３は、ディスプレー４１に双方向に接続され、ディスプレー４１からの設定等を入力可能とされるとともに、ディスプレー４１に情報を出力、表示するようになっている。
【００４５】
また、演算部３３は、Ａ／Ｄコンバータ４０から入力された信号を、メモリ３４に格納するとともに、必要に応じてメモリ３４から取り出して演算するようになっている。
ＲＭＳ−ＤＣコンバータ３８、ピークホールド回路３９は、電流計側器３６とＡ／Ｄコンバータ４０との間に並列に接続され、電流計測器３６からの信号を、ＲＭＳ−ＤＣコンバータ３８、ピークホールド回路３９のそれぞれ、及びＡ／Ｄコンバータ３８を介して演算部３３に入力するように構成されている。
【００４６】
また、演算部３３は、高周波漏洩電流、高周波出力電流の測定値が、予め設定したそれぞれの許容範囲外に至った場合に、異常信号を出力するように構成されている。
メモリ３４に格納された測定値を演算して、電気メス装置１０の補正値を算出するとともに、この校正値を電気メス装置１０に出力可能とされている。
【００４７】
メモリ３４は、例えば、電気メス装置１０の設定モードにおける高周波漏洩電流、高周波出力電流と対応する点検モードの点検回路を形成するための負荷抵抗切換器３５、入力切換回路３７に関する情報が格納されており、演算部３３は、電気メス装置１０の設定モードをメモリ３４に参照して、負荷抵抗切換器３５、入力切換回路３７を作動して、各点検モードにおける高周波漏洩電流点検回路、高周波出力電流点検回路を形成するようになっている。
【００４８】
また、メモリ３４は、高周波漏洩電流点検回路、又は高周波出力電流回路において電流計測器３６より計測された電流値（高周波漏洩電流、高周波出力電流）、及びピーク電圧等の測定データが、データテーブルの形式で格納されるようになっている。
【００４９】
負荷抵抗切換器３５は、演算部３３からの出力により、抵抗値を変更可能とされており、演算部３３は、メモリ３４を参照して、例えば、高周波漏洩電流を測定する際には２００Ω、高周波出力電流を測定する際には、１０〜２０００Ωの範囲で点検するため段階的な負荷抵抗設定値を予め設定し、段階的に切り換えるようになっている。
【００５０】
なお、点検するための段階的な負荷抵抗設定値については、１０〜２０００Ω以外の範囲としてもよいし、例えば、モノポーラ電気メス７を５０〜２０００Ω、バイポーラ電気メス８を１０〜２０００Ωというように、それぞれの点検対象に応じて設定してもよい。
【００５１】
電流計測器３６は、高周波漏洩電流点検回路、又は高周波出力電流点検回路を流れる電流を、例えば、トランスの一次側又は抵抗に通電することにより電圧波形として出力し、この電圧波形をＲＭＳ−ＤＣコンバータ３８に送って実効値化（定量化）し、ピークホールド回路３９を経由した後、Ａ／Ｄコンバータ４０を介して演算部３３に入力されるようになっている。
なお、ＲＭＳ−ＤＣコンバータ３８は、電流を熱に変換して定量化するために用いられ、ピークホールド回路３９は、ピーク電圧を測定するために用いられる。
なお、高周波漏洩電流、高周波出力電流の測定に関しては、上記以外の測定手段を用いてもよく、ピーク電圧の測定については任意に設定されるものである。
【００５２】
入力切換回路３７は、アクティブ電極点検用コネクタ３７Ａ、対極板点検用コネクタ３７Ｂ、バイポーラ電気メス電極（Ａ）点検用コネクタ３７Ｃ、バイポーラ電気メス電極（Ｂ）点検用コネクタ３７Ｄと、これらコネク３７Ａ、３７Ｂ、３７Ｃ、３７Ｄと対応するアクティブ電極点検用スイッチＳＡ、対極板点検スイッチ用ＳＢ、バイポーラ電気メス電極（Ａ）点検用スイッチＳＣ、バイポーラ電気メス電極（Ｂ）点検用スイッチＳＤと、負荷抵抗切換器３５、電流測定器３６を介してこれらスイッチＳＡ、ＳＢ、ＳＣ、ＳＤと接続される接地側スイッチＳＥとを備えている。
【００５３】
アクティブ電極点検用スイッチＳＡ、対極板点検スイッチ用ＳＢ、バイポーラ電気メス電極（Ａ）点検用スイッチＳＣ、バイポーラ電気メス電極（Ｂ）点検用スイッチＳＤ、接地側スイッチＳＥは、開閉制御可能な、例えば、リレー等により構成されており、演算部３３からの信号によって、電気メス装置１０の各設定モードにおける電気メス７、８に対応する入力端子を設定するようになっている。
【００５４】
また、演算部３３から出力されるアクティブ電極点検用スイッチＳＡ、対極板点検スイッチ用ＳＢ、バイポーラ電気メス電極（Ａ）点検用スイッチＳＣ、バイポーラ電気メス電極（Ｂ）点検用スイッチＳＤ、接地側スイッチＳＥの開閉制御信号は、接続したケーブル５、６を検出し、又は電気メス装置１０、電気メス点検装置３０に設けられた設定モードスイッチと対応して作動、切換えられるようになっている。
【００５５】
（１）高周波漏洩電流の点検について
図４は、電気メス装置１０の高周波漏洩電流点検回路の概略構成の一例を示す図であり、図４（Ａ）は、モノポーラ電気メス７のアクティブ電極用端子１１Ａに電力を供給する回路の高周波漏洩電流を、図４（Ｂ）は、対極板用端子１２に電力を供給する回路の高周波漏洩電流を点検するための高周波漏洩電流点検回路である。
図５は、電気メス点検装置３０により高周波漏洩電流を点検する際の作動手順の一例を示すフロー図である。
【００５６】
（１−１）アクティブ電極用端子１１Ａ側回路の点検
次に、図４（Ａ）を参照して、アクティブ電極用端子１１Ａ側回路の点検について説明する。
まず、電気メス装置１０の設定モードを「モノポーラ電気メスのアクティブ電極用端子」に設定して、アクティブ電極用端子１１Ａと電気メス装置１０の負極の間を、アクティブ電極用端子１１Ａ側からケーブル５Ａ、電気メス点検装置３０の負荷抵抗切換器３５、電流計測器３６、ケーブル４の順に直列に接続して高周波漏洩電流点検回路を形成する。この場合、対極板用端子１２Ａ側の高周波漏洩電流点検回路については形成する必要はない。
【００５７】
次に、図５を参照して、電気メス点検装置３０により、図４（Ａ）に示すアクティブ電極用端子１１Ａ側回路の高周波漏洩電流を点検する手順を説明する。
なお、点検に先立って、電気メス点検装置３０の点検対象モード（図示せず）を、モノポーラ電気メス７のアクティブ電極として、ディスプレー４１から入力、設定する。
メモリ３４には、設定された点検対象モードにおける点検対象項目（切開、凝固、及び各処理における出力レベル）、および出力設定数（点検対象項目数）Ｋが格納されている。
【００５８】
１）まず、電気メス点検装置３０のスタートボタン（図示せず）を押して、自動点検を開始する。
２）次に、演算部３３は、メモリ３４から出力設定数Ｋを読み出すとともに、出力設定数をカウントするための変数ｉ（ｉは、自然数）に初期値（＝１）を設定する（Ｓ１）。
３）次に、電気メス点検装置３０から、シリアル通信部１４を介して電気メス装置１０に信号を送信するとともに電気メス装置１０から返信された信号を受信することにより、電気メス点検装置３０と電気メス装置１０との通信が可能であることを確認する（Ｓ２）。
電気メス点検装置３０と電気メス装置１０との通信が可能である場合は、Ｓ３に移行し、通信が不可能である場合は、点検を終了（中止）する。
３）次いで、演算部３３は、負荷抵抗切換器３５と、入力切換回路３７に点検対象モード設定信号を出力して、点検対象モードをモノポーラのアクティブ電極に設定して、電気メス装置１０の入力切換回路３７にアクティブ電極用端子１１Ａと対応するアクティブ電極点検用スイッチＳＡが接続される（Ｓ３）。
４）次に、演算部３３は、負荷抵抗切換器３５に負荷抵抗設定信号を出力して、負荷抵抗切換器３５の負荷抵抗を予め定められた設定値（例えば、２００Ω）に設定する（Ｓ４）。
５）次いで、演算部３３は、出力設定信号を出力して、電気メス装置１０を、例えば、最大出力に設定する（Ｓ５）。
６）次に、演算部３３は、シリアル通信部１４を介して電気メス装置１０に点検用信号を出力する。その結果、電気メス装置１０のアクティブ電極用端子１１Ａ側回路の高周波漏洩電流点検回路に通電される（Ｓ６）。
７）電気メス装置１０のアクティブ電極用端子１１Ａとアース間に流れる電流を、電流計測器３６により電圧波形として出力し、ＲＭＳ−ＤＣコンバータ３８で定量化するとともにＡ／Ｄコンバータ４０を介して演算部３３に入力する。このとき、ピークホールド回路３９を用いて、ピーク電圧を測定してもよい。
演算部３３は、ＡＤ変換された値から高周波漏洩電流を算出する（Ｓ７）。
８）演算部３３は、算出した高周波漏洩電流値を、メモリ３４に格納する（Ｓ８）。
９）演算部３３は、ｉ≧Ｋであるかどうかを判断し、予め定めた点検対象がすべて完了したかどうかを確認する（Ｓ９）
予め定めた点検対象項目の点検がすべて完了した場合は、点検を終了し、点検対象項目が残っている場合には、Ｓ１０に移行する。
１０）点検対象項目を一つ終了するごとに、ｉをｉ＋１に置き換えてＳ５に移行する（Ｓ１０）。
Ｓ５では、電気メス装置１０の点検対象項目（設定出力）を次の処理に対応する段階レベルに設定する。
上記５）から１０）を、予め定められた点検対象項目が全て完了するまで繰返して実行する。
なお、演算部３３は、メモリ３４に格納した高周波漏洩電流値を、例えば、ディスプレーに出力、表示する。この場合、例えば、高周波漏洩電流値が、所定の許容範囲外であるものについて、表示色、マーク等によって識別表示し、点検者が異常値を確認し易くしてもよい。
【００５９】
（１−２）対極板用端子１２Ａ側回路の点検
次に、図４（Ｂ）を参照して、対極板用端子１２Ａ側回路の点検について説明する。
まず、電気メス装置１０の点検モードを「モノポーラ電気メスの対極板用端子」に設定し、対極板用端子１２Ａと電気メス装置１０の負極の間を、対極板用端子１２Ａ側から、ケーブル５Ａ、負荷抵抗切換器３５、電流計測器３６、ケーブル４の順に直列に接続して高周波漏洩電流点検回路を形成する。このとき、アクティブ電極用端子１１Ａの高周波漏洩電流点検回路については形成する必要はない。
なお、対極板用端子１２Ａ側回路の点検手順は、図５のフロー図に示した手順にしたがって、アクティブ電極用端子１１Ａ側回路の点検の場合と同様に行なうことができる。
【００６０】
（１−３）バイポーラ電気メス８の一方側電極端子１１Ｂ側回路の点検
次に、図６（Ａ）を参照して、一方側電極端子１１Ｂ側回路の点検について説明する。
まず、電気メス装置１０の点検モードを「バイポーラ電気メスの電極Ａ」に設定し、一方側電極端子１１Ｂと電気メス装置１０の負極の間を、一方側電極端子１１Ｂ側から、ケーブル６Ａ、負荷抵抗切換器３５、電流計測器３６、ケーブル４の順に直列に接続して高周波出力点検回路を形成する。このとき、他方側電極端子１２Ｂの高周波漏洩電流点検回路については形成する必要はない。
なお、一方側電極端子１１Ｂ側回路の点検手順は、図５のフロー図に示した手順にしたがって、アクティブ電極用端子１１Ａ側回路の点検の場合と同様により行なうことができる。
【００６１】
（１−４）バイポーラ電気メス８の他方側電極端子１２Ｂ側回路の点検
次に、図６（Ｂ）を参照して、他方側電極端子１２Ｂ側回路の点検について説明する。
電気メス装置１０の他方側電極端子１２Ｂ側回路の点検が一方側の電極端子１１Ｂ側回路の点検と異なるのは、メス装置１０の点検モードを「バイポーラ電気メスの電極Ｂ」に設定するとともに、他方側電極端子１２Ｂと電気メス装置１０の負極の間を、ケーブル６Ｂ及びケーブル４を介して、他方側電極端子１２Ｂ側から順番に、電気メス点検装置３０の負荷抵抗切換器３５、電流計測器３６を直列に接続する点である。その他は、バイポーラ電気メス８の他方側電極端子１２Ｂ側回路の点検と同様であるので、説明を省略する。
【００６２】
（２）高周波出力電流の点検について
次に、電気メス装置１０の高周波出力電流の点検について説明する。
図７は、電気メス装置１０の高周波出力電流点検回路の概略構成の一例を示す図であり、図７（Ａ）は、モノポーラ電気メス７を用いる際の電源部１３の高周波出力電流を、図７（Ｂ）は、バイポーラ電気メス８を用いる際の電源部１３の高周波出力電流を点検するための高周波出力電流点検回路である。
図８は、電気メス点検装置３０により高周波出力電流を点検する際の作動手順の一例を示すフロー図である。
【００６３】
（２−１）モノポーラ電気メス７の点検
まず、図７（Ａ）に示すように、電気メス装置１０のモードを「モノポーラ電気メスの高周波出力電流」に設定し、アクティブ電極用端子１１Ａと対極板用端子１２Ａの間を、アクティブ電極用端子１１Ａ側から、ケーブル５Ａ、負荷抵抗切換器３５、電流計測器３６、ケーブル５Ｂを直列に接続して高周波出力点検回路を形成する。
【００６４】
次に、図８を参照して、電気メス点検装置３０によるモノポーラ電気メス７の高周波出力電流を点検する手順を説明する。
なお、点検に先立って、電気メス装置１０の設定モードをモノポーラ電気メス７に設定する。
また、電気メス点検装置３０の点検対象モード（図示せず）を、モノポーラ電気メス７の高周波出力電流に設定する。
メモリ３４には、設定された点検対象モードにおける点検対象項目（切開、凝固、及び各処理における出力レベル）、各出力レベルにおいて電流値を切り換えるための負荷抵抗設定値、および出力設定数（点検対象項目数）Ｋ、負荷抵抗設定数Ｎが格納されている。
【００６５】
１）まず、電気メス点検装置３０のスタートボタン（不図示）を押して、自動点検を開始する。
２）メモリ３４から出力設定数Ｋ及び負荷抵抗設定数Ｎを読み出すとともに、出力設定数をカウントするための変数ｉ（ｉは、自然数）、及び負荷抵抗設定数をカウントするための変数ｊに初期値（＝１）を設定する（Ｓ１）。
３）次に、電気メス点検装置３０から、シリアル通信部１４を介して電気メス装置１０に信号を送信するとともに電気メス装置１０から返信された信号を受信することにより、電気メス点検装置３０と電気メス装置１０との通信が可能であることを確認する（Ｓ２２）。
電気メス点検装置３０と電気メス装置１０との通信が可能である場合は、Ｓ２３に移行し、通信が不可能である場合は、点検を終了（中止）する。
３）次いで、演算部３３は、負荷抵抗切換器３５と、入力切換回路３７に点検対象モード設定信号を出力して、点検対象モードを、モノポーラ電気メス（高周波出力電流）に設定して、電気メス装置１０の入力切換回路３７にモノポーラ電気メス（高周波出力電流）７と対応するアクティブ電極点検スイッチＳＡ、対極板点検スイッチＳＢが接続される（Ｓ２３）。
４）次に、演算部３３は、負荷抵抗切換器３５に負荷抵抗設定信号を出力して、負荷抵抗切換器３５の負荷抵抗を、予め設定した負荷抵抗設定値（例えば、５０〜２０００Ωの範囲のいずれかの抵抗値）に順次切り換える（Ｓ２４）。
５）次いで、演算部３３は、出力設定信号を出力して、電気メス装置１０の出力レベル（電圧）を設定する（Ｓ２５）。
６）次に、演算部３３は、シリアル通信部１４を介して電気メス装置１０に点検用信号を出力する。その結果、電気メス装置１０のモノポーラ電気メスの高周波出力電流点検回路が通電される（Ｓ２６）。
７）高周波出力電流点検回路に流れる電流を、電流計測器３６によって計測し、ＲＭＳ−ＤＣコンバータ３８で定量化するとともにＡ／Ｄコンバータ４０を介して演算部３３に入力する。このとき、ピークホールド回路３９を用いて、ピーク電圧を測定してもよい。
演算部３３は、ＡＤ変換された値から高周波出力電流を算出する（Ｓ２７）。
８）演算部３３は、算出した高周波出力電流値を、メモリ３４に格納する（Ｓ２８）。
９）演算部３３は、ｉ≧Ｋであるかどうかを判断し、各負荷抵抗設定値におけるすべての出力レベルでの点検が完了したかどうかを判断する（Ｓ２９）
予め定めた出力レベルでの点検がすべて完了した場合は、Ｓ３１に移行し、残っている場合は、Ｓ３０に移行する。
１０）各出力レベルでの点検を完了するごとに、ｉをｉ＋１に置き換えてＳ２５に移行する（Ｓ３０）。
Ｓ２５では、電気メス装置１０の出力レベルを、段階的に、順次切換える。
１１）演算部３３は、ｉ≧Ｎであるかどうかを判断し、各負荷抵抗設定値での点検がすべて完了したかどうかを判断する（Ｓ３１）
予め定めた負荷抵抗設定値での点検がすべて完了した場合は、点検を終了し、まだ点検していない負荷抵抗値が残っている場合には、Ｓ３２に移行する。
１２）各負荷抵抗設定値での点検を完了するごとに、ｊをｊ＋１に置き換えてＳ２４に移行する（Ｓ３２）。
Ｓ２４では、負荷抵抗設定値を、段階的に、順次切換える。
上記５）から１０）、及び上記４）から１２）を、予め定められた点検項目が全て完了するまで繰返し実行する。
なお、演算部３３は、メモリ３４に格納した高周波出力電流値を、例えば、ディスプレーに出力、表示する。この場合、例えば、高周波出力電流値が所定の許容範囲の外にあるものについて、表示色、マーク等によって識別表示し、点検者が異常値を確認し易くしてもよい。
【００６６】
（２−２）バイポーラ電気メス８の点検
次に、図７（Ｂ）を参照して、バイポーラ電気メス８の電源部１３を点検する場合について説明する。
まず、電気メス装置１０の設定モードを「バイポーラ電気メスの高周波出力電流」に設定し、一方側電極端子１１Ｂと他方側電極端子１２Ｂの間を、一方側電極端子１１Ｂ側から、ケーブル６Ａ、負荷抵抗切換器３５、電流計測器３６、ケーブル６Ｂを直列に接続して高周波出力電流点検回路を形成する。
なお、バイポーラ電気メス８の電源部１３の点検手順は、上記図８のフロー図に示した手順にしたがい、モノポーラ電気メス７をバイポーラ電気メス８に代えて同様の手順により点検可能である。
【００６７】
次に、図９、図１０を参照して、電気メス点検システム１における電気メス点検装置３０による電気メス装置１０を校正する手順について説明する。
この場合、メモリ３４には、既に測定した高周波出力電流値が格納されている。
【００６８】
１）まず、電気メス点検装置３０のスタートボタン（図示せず）を押して、自動点検を開始する。
２）次に、電気メス点検装置３０から、シリアル通信部１４を介して電気メス装置１０に信号を送信するとともに電気メス装置１０から返信された信号を受信することにより、電気メス点検装置３０と電気メス装置１０との通信が可能であることを確認する（Ｓ１０１）。
電気メス点検装置３０と電気メス装置１０との通信が可能である場合は、Ｓ１０２に移行し、通信が不可能である場合は、校正作業を終了（中止）する。
３）次いで、演算部３３は、高周波出力電流の測定値の中に許容範囲外のものがあるかどうかを判断する（Ｓ１０２）。
許容範囲外の測定値がない場合には、校正作業を終了し、許容範囲外の測定値がある場合には、Ｓ１０３に移行する。
４）演算部３３は、例えば、最小二乗法を用いて、図１０に示すような高周波出力電流の近似直線を求め、基準値と対比して補正値（補正係数）を算出する（Ｓ１０３）。
５）次いで、演算部３３は、補正値を電気メス装置１０に伝送する（Ｓ１０４）。
６）次に、演算部３３は、演算部１５に、校正値をメモリ１６に格納するように信号出力をする。演算部１５は、校正値をメモリ１６に格納する（Ｓ１０５）。
【００６９】
電気メス点検装置３０によれば、電気メス装置１０の高周波漏洩電流と高周波出力電流を、予め定めた点検手順に基づいて自動測定することが可能とされるので、電気メス装置１０を、適切かつ効率的に点検することができ、ひいては点検者の疲労等の抑制、及び点検コストを削減することができる。
【００７０】
また、電気メス点検装置３０によれば、高周波漏洩電流測定回路の高周波漏洩電流、及び高周波出力電流測定回路に通電した際に流れる高周波出力電流値をメモリ３４に記憶するので、電気メス装置１０の高周波漏洩電流及び高周波出力電流を適切かつ効率的に自動測定することができる。
【００７１】
また、電気メス点検装置３０によれば、電気メス装置１０の高周波漏洩電流、高周波出力電流が許容範囲外に至った場合に、異常信号が出力されるので、電気メス装置１０の点検を、効率的かつ確実に行なうことができ、異常がある電気メス装置１０を誤って手術に用いることを抑制することができる。
【００７２】
また、電気メス点検装置３０によれば、高周波出力電流の測定値と、高周波出力電流の設定値に基づいて校正値を算出するので、電気メス装置１０の校正を効率的に行なうことができる。
【００７３】
また、電気手術器点検システム１によれば、電気メス装置１０が、電気メス点検装置３０から入力された校正値に基づいて電源部１３の出力を補正するように構成されているので、電気メス装置１０の電源部１３の出力を適切かつ効率的に校正することができる。
【００７４】
なお、この発明は上記実施の形態に限定されるものではなく、発明の趣旨を逸脱しない範囲において、種々の変更をすることが可能である。
例えば、上記実施の形態においては、高周波出力電流と、高周波漏洩電流の双方を自動で測定する場合について説明したが、例えば、高周波出力電流と、高周波漏洩電流のうち、いずれか一方のみを自動で測定するように構成してもよいし、自動で測定する場合の設定条件についても、必要に応じて任意に設定することができる。
【００７５】
また、上記実施の形態においては、電気メス点検装置３０で測定した結果に基づいて、異常信号の出力、及び校正値の算出を行ない、電気手術器点検システム１において、電気メス装置１０に出力して、電気メス装置１０が出力を自動補正する場合について説明したが、例えば、異常信号出力、補正値の算出、電気メス装置１０への出力及び自動補正については、電気メス装置１０、電気メス点検装置３０がこれらのうちどれを備えるかは、組合せ可能な範囲で任意に設定することが可能である。
【００７６】
また、上記実施の形態においては、電気手術器が電気メス装置１０であり、手術用プローブがモノポーラ電気メス７、バイポーラ電気メス８である場合について説明したが、例えば、モノポーラ電気メス７、バイポーラ電気メス８以外の電気メスや、電気メス装置１０以外の生体に低周波電流を通電する手術器（手術器には通電式マッサージ器等の治療器を含む）のほか、超音波プローブ、レーザ手術器等、生体への通電をともなわない電気手術器を対象として、電気手術器点検装置、電気手術器点検システムを構成してもよい。
【００７７】
また、上記実施の形態においては、図５、図７、図９のフロー図に示した手順に基づいて点検する場合について説明したが、上記以外のアルゴリズムに基づいて、演算部３３が作動してもよいことはいうまでもない。
【００７８】
また、上記実施の形態においては、プログラムを格納するための記憶媒体がＲＯＭである場合について説明したが、メモリカード等、ＲＯＭ以外の記憶手段に格納してもよい。
【産業上の利用可能性】
【００７９】
電気手術器を自動点検することにより、電気手術器の適切かつ効率的な点検を可能とし、ひいては、点検者の疲労等の抑制、低コストでの点検を行なうことが可能となるので産業上利用可能である。
【符号の説明】
【００８０】
１    電気メス点検システム（電気手術器点検システム）
７、８  電気メス（電気手術器プローブ）
１０    電気メス装置（電気手術器）
１１    アクティブ電極用端子（第１の電極部）
１２    対極板用端子（第２の電極部）
１３    電源部
１４    出力設定部（出力設定手段）
１５    演算部（電気手術器）
１６    メモリ（電気手術器の記憶部）
３０    電気メス点検装置（電気手術器点検装置）
３２    演算部（電気手術器点検装置）
３３    メモリ（電気手術器点検装置の記憶部）
３５    負荷抵抗切換器（負荷抵抗）
３６    電流計側器（電流測定手段）
【図１】
0005603677.tif 000002
【図２】
0005603677.tif 000003
【図３】
0005603677.tif 000004
【図４】
0005603677.tif 000005
【図５】
0005603677.tif 000006
【図６】
0005603677.tif 000007
【図７】
0005603677.tif 000008
【図８】
0005603677.tif 000009
【図９】
0005603677.tif 000010
【図１０】
0005603677.tif 000011